(57)【要約】【課題】本体と流路切替部材とを備えた配管部材において、切り替え後の流路切替部材の位置を間違え難くすることができる。【解決手段】配管部材１は、流入口１３、第１流出口１１および第２流出口１２が形成され、所定の方向に延びた周壁部１５と、周壁部１５の所定の方向側に設けられ、所定の方向に向かって開口する点検口１９が形成された点検筒部２０とを有する本体５と、本体５内に配置される流路切替部材３５と、確認部３７ａを備える。流路切替部材３５は、流入口１３と第１流出口１１とを連通させる第１位置Ｐ１と、流入口１３と第２流出口１２とを連通させる第２位置Ｐ２に配置可能である。確認部３７ａは、第１位置Ｐ１のときに第１確認位置に配置され、第２位置Ｐ２のときに第１確認位置とは位置が異なる第２確認位置に配置され、点検口１９を通じて視認される。【選択図】図３
2020007877.tif 000002
【特許請求の範囲】
【請求項１】
流入口、第１流出口および第２流出口が形成され、所定の方向に延びた周壁部と、前記周壁部の前記所定の方向側に設けられ、前記所定の方向に向かって開口する点検口が形成された点検筒部と、を有する本体と、
第１開口および第２開口が形成された側壁部と、前記第１開口と前記第２開口とを繋ぐインバートが形成された底壁部と、を有する流路切替部材と、
を備え、
前記流路切替部材は、前記本体に対して、前記第１開口と前記流入口とが重なり、かつ、前記第２開口と前記第１流出口とが重なる第１位置と、前記第２開口と前記流入口とが重なり、かつ、前記第１開口と前記第２流出口とが重なる第２位置とに配置可能に構成され、
前記流路切替部材が前記第１位置に配置されているときに第１確認位置に配置され、前記流路切替部材が前記第２位置に配置されているときに前記第１確認位置とは位置が異なる第２確認位置に配置され、前記流路切替部材が前記第１位置に配置されているとき、および、前記第２位置に配置されているときに前記本体の前記点検口を通じて視認される確認部を備えた、配管部材。
【請求項２】
前記側壁部は、
前記第１開口が形成された第１側壁部と、
前記第２開口が形成された第２側壁部と、
前記流路切替部材が前記第１位置に配置されているときに前記本体の前記第２流出口と対向し、前記流路切替部材が前記第２位置に配置されているときに前記本体の前記第１流出口と対向するように配置される側壁閉鎖部と、
を有している、請求項１に記載された配管部材。
【請求項３】
前記側壁閉鎖部と前記本体の前記周壁部との間に配置された閉鎖部材を備え、
前記閉鎖部材の少なくとも前記点検口と対向する対向面には、前記対向面の周囲とは異なる色が付されており、
前記確認部は、前記閉鎖部材の少なくとも前記対向面によって構成されている、請求項２に記載された配管部材。
【請求項４】
前記確認部は、平面視において前記側壁閉鎖部から前記流路切替部材の中心とは反対側に向かって突出した突出部によって構成されている、請求項２または３に記載された配管部材。
【請求項５】
前記周壁部は、
前記第１流出口が形成された第１周壁部と、
前記第２流出口が形成された第２周壁部と、
前記流入口が形成された第３周壁部と、
を有し、
前記第１周壁部には、前記流路切替部材が前記第２位置に配置されたときに前記突出部と係合する第１係合部が設けられ、
前記第２周壁部には、前記流路切替部材が前記第１位置に配置されたときに前記突出部と係合する第２係合部が設けられ、
前記第３周壁部には、前記突出部と係合する部分が設けられていない、請求項４に記載された配管部材。
【請求項６】
前記流路切替部材の前記側壁部に架け渡された取っ手を備え、
前記確認部は、前記取っ手に付され、前記側壁閉鎖部の位置を示す目印によって構成されている、請求項２から５までの何れか１つに記載された配管部材。
【請求項７】
前記流路切替部材の前記側壁部に架け渡され、一端が前記側壁閉鎖部に設けられた取っ手を備え、
前記取っ手は、
前記取っ手の軸方向で前記取っ手を２分割したときの前記一端側に配置された第１取っ手部と、
前記取っ手の軸方向で前記取っ手を２分割したときの前記一端とは反対の他端側に配置された第２取っ手部と、
を有し、
前記第１取っ手部と前記第２取っ手部とは非対称の形状を有しており、
前記確認部は、前記取っ手によって構成されている、請求項２から５までの何れか１つに記載された配管部材。
【請求項８】
前記インバートは、前記所定の方向から見たときに前記側壁閉鎖部側に凹んだ曲部を有し、
前記確認部は、前記曲部によって構成されている、請求項２から７までの何れか１つに記載された配管部材。
【請求項９】
前記本体は、前記周壁部と前記点検筒部とに連結され、前記所定の方向から見たときに前記本体の前記点検口を通じて視認される視認部を有し、
前記周壁部は、
前記第１流出口が形成された第１周壁部と、
前記第２流出口が形成された第２周壁部と、
前記流入口が形成された第３周壁部と、
を有し、
前記視認部は、
前記第１周壁部に連結された第１視認部と、
前記第２周壁部に連結された第２視認部と、
前記第３周壁部に連結された第３視認部と、
を有し、
前記第１視認部および前記第２視認部には、排水が前記本体から流出することを示す流出目印が付され、
前記第３視認部には、排水が前記本体に流入することを示す流入目印が付されている、請求項１に記載された配管部材。
【発明の詳細な説明】
【技術分野】
【０００１】
本発明は、排水の流路を切り替えることができる配管部材（例えば、排水ます、管継手など）に関する。
【背景技術】
【０００２】
特許文献１には、流路を切り替えることが可能な排水ますが記載されている。特許文献１に記載された排水ますは、ます本体と、ます本体内に配置され、上下に延びた中心軸を中心に回動可能な流路切替部材とを備えている。ます本体は、側方に開口する流入口、第１流出口および第２流出口と、上方に開口する点検口とを有している。流路切替部材には、連通路が形成されている。流路切替部材は、連通路を通じて流入口と第１流出口を連通させ、かつ、第２流出口を閉鎖する第１位置と、連通路を通じて流入口と第２流出口を連通させ、かつ、第１流出口を閉鎖する第２位置とに位置変更が可能である。上記排水ますは、流路切替部材の位置を変更することで流路を切り替えることができる。
【先行技術文献】
【特許文献】
【０００３】
【特許文献１】特許第２７６１２８２号公報
【発明の概要】
【発明が解決しようとする課題】
【０００４】
ところで、上記排水ますでは、流路を切り替えるとき、切り替え後の流路切替部材の位置の候補が複数存在する。例えば、流路切替部材が第１位置に配置されている状態で流路を切り替える場合、切り替え後の流路切替部材の位置の候補として、第２流出口を閉鎖する位置（第２位置）と、流入口を閉鎖する位置とが存在する。このような場合、流路切替部材を第２位置に配置しなければならないにも関わらず、流入口を閉鎖するような位置に流路切替部材を配置するおそれがあり、切り替え後の流路切替部材の位置を間違えるおそれがあった。
【０００５】
本発明はかかる点に鑑みてなされたものであり、その目的は、本体と流路切替部材とを備えた配管部材において、切り替え後の流路切替部材の位置を間違え難くすることが可能な配管部材を提供することである。
【課題を解決するための手段】
【０００６】
本発明者は、切り替え後の流路切替部材の位置を間違える原因について、種々検討した。その結果、作業者が切り替え前の流路切替部材の位置を適切に把握していないときに、切り替え後の流路切替部材の位置を間違える可能性があることを発見した。例えば、上記排水ますでは、第１位置に配置されている流路切替部材を反時計回りに所定の角度（例えば１２０度）回転させることで、第２位置に配置させることができ、第２位置に配置されている流路切替部材を時計回りに所定の角度回転させることで、第１位置に配置させることができる。ここで、切り替え前の流路切替部材の位置が第１位置にも関わらず、作業者が第２位置に配置されていると誤認識している場合、流路を切り替えるために流路切替部材を時計回りに所定の角度回転させることがあり得る。その結果、流入口を閉鎖する位置に流路切替部材が配置され、切り替え後の流路切替部材の位置を間違える。以上のことから、本発明者は、作業者が切り替え前の流路切替部材の位置を適切に把握することで、切り替え後の流路切替部材の位置を間違え難くすることができることを見出した。
【０００７】
本発明に係る配管部材は、本体と、流路切替部材と、確認部とを備えている。前記本体は、流入口、第１流出口および第２流出口が形成され、所定の方向に延びた周壁部と、前記周壁部の前記所定の方向側に設けられ、前記所定の方向に向かって開口する点検口が形成された点検筒部と、を有している。前記流路切替部材は、第１開口および第２開口が形成された側壁部と、前記第１開口と前記第２開口とを繋ぐインバートが形成された底壁部と、を有している。前記流路切替部材は、前記本体に対して、前記第１開口と前記流入口とが重なり、かつ、前記第２開口と前記第１流出口とが重なる第１位置と、前記第２開口と前記流入口とが重なり、かつ、前記第１開口と前記第２流出口とが重なる第２位置とに配置可能に構成されている。前記確認部は、前記流路切替部材が前記第１位置に配置されているときに第１確認位置に配置され、前記流路切替部材が前記第２位置に配置されているときに前記第１確認位置とは位置が異なる第２確認位置に配置され、前記流路切替部材が前記第１位置に配置されているとき、および、前記第２位置に配置されているときに前記本体の前記点検口を通じて視認される。
【０００８】
上記配管部材によれば、流路を切り替える際、作業者は、点検口を通じて確認部の位置を確認することで、流路を切り替える前の流路切替部材の位置を確認することができる。例えば確認部が第１確認位置に配置されているとき、流路切替部材が第１位置に配置されていることを確認することができる。よって、作業者は、流路切替部材の位置を第１位置から第２位置に変更することを事前に把握することができる。また、例えば確認部が第２確認位置に配置されているとき、流路切替部材が第２位置に配置されていることを確認することができる。よって、作業者は、流路切替部材の位置を第２位置から第１位置に変更することを事前に把握することができる。このように、切り替え前の流路切替部材の位置を確認することで、流路の切り替え先を間違え難くすることができる。
【０００９】
本発明の好ましい一態様によれば、前記側壁部は、前記第１開口が形成された第１側壁部と、前記第２開口が形成された第２側壁部と、前記流路切替部材が前記第１位置に配置されているときに前記本体の前記第２流出口と対向し、前記流路切替部材が前記第２位置に配置されているときに前記本体の前記第１流出口と対向するように配置される側壁閉鎖部と、を有している。
【００１０】
上記態様によれば、流路切替部材の側壁部の側壁閉鎖部が第２流出口と対向するように、流路切替部材を本体に対して配置することで、流路切替部材を第１位置に適切に配置することができる。また、流路切替部材の側壁閉鎖部が第１流出口と対向するように、流路切替部材を本体に対して配置することで、流路切替部材を第２位置に適切に配置することができる。
【００１１】
本発明の好ましい他の一態様によれば、前記配管部材は、前記側壁閉鎖部と前記本体の前記周壁部との間に配置された閉鎖部材を備えている。前記閉鎖部材の少なくとも前記点検口と対向する対向面には、前記対向面の周囲とは異なる色が付されている。前記確認部は、前記閉鎖部材の少なくとも前記対向面によって構成されている。
【００１２】
上記態様によれば、閉鎖部材は、流路器切替部材が第１位置に配置されたときに第２流出口と対向する位置に配置され、第２位置に配置されたときに第１流出口と対向する位置に配置される。そのため、閉鎖部材の位置を確認することによって、流路を切り替える前の流路切替部材の位置を事前に確認することができる。上記態様では、閉鎖部材の少なくとも上面には、当該上面の周囲と異なる色が付されているため、閉鎖部材の位置を視認し易い。よって、流路を切り替える前の流路切替部材の位置を確認し易い。
【００１３】
本発明の好ましい他の一態様によれば、前記確認部は、平面視において前記側壁閉鎖部から前記流路切替部材の中心とは反対側に向かって突出した突出部によって構成されている。
【００１４】
上記態様によれば、突出部は、流路器切替部材が第１位置に配置されたときに第２流出口の上方に配置され、第２位置に配置されたときに第１流出口の上方に配置される。よって、突出部の位置を確認することによって、流路を切り替える前の流路切替部材の位置を確認することができる。
【００１５】
本発明の好ましい他の一態様によれば、前記周壁部は、前記第１流出口が形成された第１周壁部と、前記第２流出口が形成された第２周壁部と、前記流入口が形成された第３周壁部と、を有している。前記第１周壁部には、前記流路切替部材が前記第２位置に配置されたときに前記突出部と係合する第１係合部が設けられている。前記第２周壁部には、前記流路切替部材が前記第１位置に配置されたときに前記突出部と係合する第２係合部が設けられている。前記第３周壁部には、前記突出部と係合する部分が設けられていない。
【００１６】
上記態様によれば、突出部と、ます本体の周壁部の第２周壁部に設けられた第２係合部とを係合させることで、流路切替部材を第１位置に適切に配置することができる。また、突出部と、本体の第１周壁部に設けられた第１係合部とを係合させることで、流路切替部材を第２位置に適切に配置することができる。なお、流入口が形成されている第３周壁部には、突出部と係合する部分が設けられていない。よって、流入口が閉鎖される位置に流路切替部材を配置することはできない。したがって、流入口が閉鎖される位置に流路切替部材が誤って配置されることを防止することができる。
【００１７】
本発明の好ましい他の一態様によれば、前記配管部材は、前記流路切替部材の前記側壁部に架け渡された取っ手を備えている。前記確認部は、前記取っ手に付され、前記側壁閉鎖部の位置を示す目印によって構成されている。
【００１８】
上記態様によれば、作業者は、取っ手に付された目印を視認することで、側壁閉鎖部の位置を確認することができる。よって、この目印を視認することで、流路を切り替える前の流路切替部材の位置を事前に確認することができる。
【００１９】
本発明の好ましい他の一態様によれば、前記配管部材は、前記流路切替部材の前記側壁部に架け渡され、一端が前記側壁閉鎖部に設けられた取っ手を備えている。前記取っ手は、前記取っ手の軸方向で前記取っ手を２分割したときの前記一端側に配置された第１取っ手部と、前記取っ手の軸方向で前記取っ手を２分割したときの前記一端とは反対の他端側に配置された第２取っ手部と、を有している。前記第１取っ手部と前記第２取っ手部とは非対称の形状を有している。前記確認部は、前記取っ手によって構成されている。
【００２０】
上記態様によれば、取っ手の第１取っ手部と第２取っ手部とは非対称の形状を有しているため、取っ手を視認することで、第１取っ手部の位置から側壁閉鎖部が配置された位置を確認することができる。よって、作業者が取っ手を視認することで、流路を切り替える前の流路切替部材の位置を確認することができる。
【００２１】
本発明の好ましい他の一態様によれば、前記インバートは、前記所定の方向から見たときに前記側壁閉鎖部側に凹んだ曲部を有している。前記確認部は、前記曲部によって構成されている。
【００２２】
上記態様によれば、作業者は、インバートの曲部を視認することで、側壁閉鎖部の位置を確認することができる。よって、インバートの曲部を視認することで、流路を切り替える前の流路切替部材の位置を事前に確認することができる。
【００２３】
本発明の好ましい他の一態様によれば、前記本体は、前記周壁部と前記点検筒部とに連結され、前記所定の方向から見たときに前記本体の前記点検口を通じて視認される視認部を有している。前記周壁部は、前記第１流出口が形成された第１周壁部と、前記第２流出口が形成された第２周壁部と、前記流入口が形成された第３周壁部と、を有している。前記視認部は、前記第１周壁部に連結された第１視認部と、前記第２周壁部に連結された第２視認部と、前記第３周壁部に連結された第３視認部と、を有している。前記第１視認部および前記第２視認部には、排水が前記本体から流出することを示す流出目印が付されている。前記第３視認部には、排水が前記本体に流入することを示す流入目印が付されている。
【００２４】
上記態様によれば、流出目印を視認することで、第１流出口および第２流出口の位置を確認することができ、流入目印を視認することで、流入口の位置を確認することができる。よって、流入口、第１流出口および第２流出口の位置を確認することができるため、作業者は、流入口を閉鎖するような位置に流路切替部材を配置しないようにすることができる。
【発明の効果】
【００２５】
本発明によれば、本体と流路切替部材とを備えた配管部材において、切り替え後の流路切替部材の位置を間違え難くすることができる。
【図面の簡単な説明】
【００２６】
【図１】本発明の一実施形態に係る排水ますの斜視図である。
【図２】排水ますの一部の斜視図である。
【図３】排水ますの一部の平面図である。
【図４】図３のＩＶ−ＩＶ線に沿った排水ますの断面図である。
【図５】流路切替部材および取っ手の斜視図である。
【図６】閉鎖部材の正面図である。
【図７】閉鎖部材の係合突起およびレールのスライド溝の断面図である。
【図８】流路切替部材の一部の斜視図である。
【図９】流路切替部材が第２位置に配置された状態の排水ますの一部の平面図である。
【図１０】他の実施形態に係る排水ますの一部の平面図である。
【図１１】他の実施形態に係る排水ますの一部の平面図である。
【図１２】他の実施形態に係る排水ますの一部の平面図である。
【発明を実施するための形態】
【００２７】
以下、図面を参照しながら、本発明の実施形態に係る配管部材の一例である排水ますについて説明する。ただし、以下に説明する実施形態は、本発明の実施形態に過ぎず、当然ながら本発明を限定することを意図したものではない。
【００２８】
図１は、本発明の一実施形態に係る排水ます１の斜視図である。図２、図３は、ぞれぞれ排水ます１の一部を示す斜視図、平面図である。図４は、図３のＩＶ−ＩＶ線に沿った断面図である。排水ます１は、排水の流路を切り替えることが可能なますであり、地中に埋設されている。排水ます１は、図１に示すように、ます本体５と、ます本体５の後述する点検口１９を塞ぐ蓋１６とを備えている。ます本体５は、図２に示す主要部１０と、３つの横筒部２１、２２、２３（図３参照）と、点検筒部２０（図１参照）とを有している。なお、図２等では、排水ます１の構造上の特徴が分かりやすいように、ます本体５に関しては主要部１０のみを切り出して図示している。しかし実際には、主要部１０と横筒部２１、２２、２３と点検筒部２０とは、樹脂材料により一体的に形成されている。図２に示すように、排水ます１は、さらにます本体５に着脱自在に装着される流路切替部材３５と、流路切替部材３５の着脱の際に作業者によって掴まれる取っ手５０とを備えている。
【００２９】
まず、ます本体５について説明する。図４に示すように、ます本体５は、底壁部１４と、底壁部１４から起立した周壁部１５と、周壁部１５の上部に設けられた傾斜部１６と、を備えている。図示は省略するが、底壁部１４は、略三角形状を有している。周壁部１５は、図３に示すように、平面視において略三角形状になるように配置された第１周壁部１５Ａ、第２周壁部１５Ｂおよび第３周壁部１５Ｃを有している。なお、本実施形態では、上方は、本発明の「所定の方向」に対応している。図４に示すように、第２周壁部１５Ｂは、下方に向かうほど底壁部１４の中心に近づくように、鉛直線から傾いている。詳しい図示は省略するが、第１周壁部１５Ａおよび第３周壁部１５Ｃも同様に、下方に向かうほど底壁部１４の中心に近づくように鉛直線から傾いている。換言すると、第１周壁部１５Ａ、第２周壁部１５Ｂおよび第３周壁部１５Ｃは、上方に向かうほど互いに離反するように鉛直線から傾いている。
【００３０】
図２に示すように、第１周壁部１５Ａには第１流出口１１が形成され、第２周壁部１５Ｂには第２流出口１２が形成されている。また、第３周壁部１５Ｃには流入口１３が形成されている。流入口１３、第１流出口１１および第２流出口１２は、それぞれ内径が等しく、側方に向かって開口している。
【００３１】
図３に示すように、第１周壁部１５Ａと第３連結部１５Ｃとの交差部分の上部には、第１連結部６１が設けられている。第２周壁部１５Ｂの上部には、第２連結部６２が設けられている。第２周壁部１５ｂと第３周壁部１５Ｃとの交差部分の上部には、第３連結部６３が設けられている。第１周壁部１５Ａの上部には、第４連結部６４が設けられている。これら第１〜第４連結部６１〜６４には、それぞれ係合孔３０が形成されている。第１連結部６１の係合孔３０と、第２連結部６２の係合孔３０とは、平面視においてます本体５の中心５ｃを挟んで互いに向かい合っている。第３連結部６３の係合孔３０と、第４連結部６４の係合孔３０とは、平面視においてます本体５の中心５ｃを挟んで互いに向かい合っている。本実施形態では、第３周壁部１５Ｃ、および、第１周壁部１５Ａと第２周壁部１５Ｂとの交差部分には、上述のような連結部が設けられておらず、係合孔３０は形成されていない。本実施形態では、第４連結部６４の係合孔３０は、本発明の「第１係合部」に対応し、第２連結部６２の係合孔３０は、本発明の「第２係合部」に対応している。なお、以下の説明では、ます本体５の中心５ｃに近づく方向を内方と称し、ます本体５の中心５ｃ（または流路切替部材３５の中心）から遠ざかる方向を外方と称する。
【００３２】
本実施形態では、連結部６１〜６４は第１周壁部１５Ａ〜第３周壁部１５Ｃとは別部材であり、第１周壁部１５Ａ〜第３周壁部１５Ｃに組み付けられている。しかしながら、連結部６１〜６４と第１周壁部１５Ａ〜第３周壁部１５Ｃとは、単一の部材であってもよい。なお、図２では、第４連結部６４の図示は省略されている。
【００３３】
傾斜部１６は、ます本体５の点検口１９を通じて視認することが可能な部分である。傾斜部１６は、周壁部１５と点検筒部２０とに連結されている。傾斜部１６は、図４に示すように、周壁部１５の上端から上方に向かうに連れて、ます本体５の外方に向かって斜めに延びている。換言すると、傾斜部１６は、下方に向かうに連れてます本体５の内方に向かって傾斜している。傾斜部１６は、図３に示すように、第１傾斜部１６Ａ、第２傾斜部１６Ｂおよび第３傾斜部１６Ｃを有している。図２に示すように、第１傾斜部１６Ａは、第１周壁部１５Ａの上端に連結され、第１流出口１１の上方に配置されている。詳しい図示は省略するが、第２傾斜部１６Ｂは、第２周壁部１５Ｂの上端に連結され、第２流出口１２の上方に配置されている。図２に示すように、第３傾斜部１６Ｃは、第３周壁部１５Ｃの上端に連結され、流入口１３の上方に配置されている。なお、本実施形態では、傾斜部１６、第１傾斜部１６Ａ、第２傾斜部１６Ｂおよび第３傾斜部１６Ｃは、それぞれ本発明の視認部、第１視認部、第２視認部および第３視認部に対応している。
【００３４】
ここでは、図３に示すように、第１傾斜部１６Ａには、下方に配置された第１流出口１１から排水が流出することを示す流出目印１７Ａが付されている。第２傾斜部１６Ｂには、下方に配置された第２流出口１２から排水が流出することを示す流出目印１７Ｂが付されている。これら流出目印１７Ａ、１７Ｂは、ます本体５の内方から外方に向かって指し示す矢印である。また、第３傾斜部１６Ｃには、下方に配置された流入口１３に排水が流入することを示す流入目印１７Ｃが付されている。この流入目印１７Ｃは、ます本体５の外方から内方に向かって指し示す矢印である。なお、流出目印１７Ａ、１７Ｂ、流入目印１７Ｃの形状および矢印の向きは、特に限定されない。作業者は、点検筒部２０の点検口１９（図１参照）を通じて、流出目印１７Ａ、１７Ｂおよび流入目印１７Ｃを視認することが可能である。なお、図２において、流出目印１７Ａ、１７Ｂおよび流入目印１７Ｃの図示は省略されている。
【００３５】
図１に示すように、横筒部２１は、第１周壁部１５Ａから径方向の外方に向かって延びており、第１流出口１１（図２参照）と連通している。いる。図３に示すように、横筒部２１には第１流出管９１が接続される。横筒部２２は、第２周壁部１５Ｂから径方向の外方に向かって延びており、第２流出口１２（図２参照）と連通している。横筒部２２には第２流出管９２が接続される。横筒部２３は第３周壁部１５Ｃから径方向の外方に向かって延びており、流入口１３（図２参照）と連通している。横筒部２３には流入管９３が接続される。
【００３６】
図１に示すように、点検筒部２０は主要部１０の上方において、上下に延びている。図２に示すように、点検筒部２０は、傾斜部１６の上端に接続されている。点検筒部２０は上方に開口しており、点検筒部２０の開口が点検口１９を構成している。図１に示すように、点検口１９には、蓋１６が着脱自在に嵌め込まれる。
【００３７】
次に、流路切替部材３５について説明する。流路切替部材３５は、排水ます１の内部の排水の流路を区画すると共に、排水の流路の切り替えを可能にする部材である。図５は、流路切替部材３５の斜視図である。図５に示すように、流路切替部材３５は、流路部材３８と、閉鎖部材３７とを有している。
【００３８】
流路部材３８は、底壁部４９（図４参照）と、側壁部３６とを有している。図３に示すように、底壁部４９は平面視において略三角形状を有している。側壁部３６は、平面視において、略三角形状となるように配置された第１側壁部３６Ａ、第２側壁部３６Ｂおよび側壁閉鎖部３６Ｃを含んでいる。ます本体５の第１周壁部１５Ａ、第２周壁部１５Ｂおよび第３周壁部１５Ｃと同様に、第１側壁部３６Ａ、第２側壁部３６Ｂおよび側壁閉鎖部３６Ｃは、それぞれ下方に向かうほど底壁部４９の中心に近づくように鉛直線から傾いている（図４参照）。換言すると、第１側壁部３６Ａ、第２側壁部３６Ｂおよび側壁閉鎖部３６Ｃは、それぞれ上方に向かうほど互いに離反するように鉛直線から傾斜している。
【００３９】
図５に示すように、第１側壁部３６Ａには第１開口４１が形成され、第２側壁部３６Ｂには第２開口４２が形成されている。図４に示す底壁部４９には、第１開口４１と第２開口４２とを繋ぐインバート５７（図５参照）が形成されている。インバート５７は、排水が流れる溝状の流路のことである。インバート５７は、平面視において閉鎖部材３７側に凹む曲部５７ａを有している。なお、側壁閉鎖部３６Ｃには開口は形成されていない。
【００４０】
図５に示すように、側壁閉鎖部３６Ｃの外方の面の両側には、上下に延びるスライド溝３９ａが形成されたレール３９が設けられている。第１側壁部３６Ａと第２側壁部３６Ｂとの交差部分の上部と、側壁閉鎖部３６Ｃの上部とには、貫通孔４５が形成された連結部４３が設けられている。
【００４１】
閉鎖部材３７は、流路切替部材３５がます本体５に装着されたときに第１流出口１１または第２流出口１２を閉鎖するための部材である。図５に示すように、閉鎖部材３７には、環状のシール部材４８が設けられている。シール部材４８は、例えばゴムによって構成されており、可撓性を有している。シール部材４８は、閉鎖部材３７がます本体５の第１周壁部１５Ａ（図２参照）に押し付けられたときには、第１流出口１１の周囲を封止する。シール部材４８は、閉鎖部材３７がます本体５の第２周壁部１５Ｂ（図２参照）に押し付けられたときには、第２流出口１２の周囲を封止する。
【００４２】
図５に示すように、閉鎖部材３７は板状に形成されており、流路部材３８の側壁閉鎖部３６Ｃに対し上下にスライド可能に構成されている。図６は、閉鎖部材３７の正面図である。図６に示すように、閉鎖部材３７の両側には、流路部材３８のレール３９のスライド溝３９ａ（図５参照）に係合する係合突起４７が設けられている。図７は、閉鎖部材３７の係合突起４７およびレール３９のスライド溝３９ａの断面図である。本実施形態では、図７に示すように、レール３９のスライド溝３９ａの下端は閉じており、係合突起４７がスライド溝３９ａの下端までスライドすると、係合突起４７はレール３９の下端部によって支持される。このことによって、係合突起４７が下方に脱落することが防止される。そのため、流路部材３８を持ち上げたときに、閉鎖部材３７が流路部材３８から脱落することが防止される（図８参照）。
【００４３】
本実施形態では、図５に示すように、閉鎖部材３７の上面３７ａには、上面３７ａの周囲とは異なる色が付されている。ここで、上面３７ａは、閉鎖部材３７をます本体５内に配置したとき、点検口１９（図１参照）と対向する面であり、本発明の「対向面」に対応する。例えば、閉鎖部材３７の上面３７ａには、黄色が付されている。ただし、閉鎖部材３７の上面３７ａ以外の閉鎖部材３７の部分に黄色が付されていてもよい。なお、図５等において、黄色が付された部分は、クロスハッチングによって表示されている。本実施形態では、ます本体５の全体、流路切替部材３５の低壁部４９および側壁部３６、取っ手５０には、灰色が付されている。なお、閉鎖部材３７の少なくとも上面３７ａに付される色は、黄色に限定されず、例えば閉鎖部材３７の周囲の部分（例えば、ます本体５の全体、流路切替部材３５の低壁部４９および側壁部３６、取っ手５０）と区分けし易い黄色以外の色が付されてもよい。本実施形態では、閉鎖部材３７の上面３７ａが本発明の「確認部」に対応している。
【００４４】
取っ手５０は、流路切替部材３５をます本体５から取り外すとき、および、ます本体５に装着するときに、作業者が掴む部分である。図５に示すように、取っ手５０は、流路切替部材３５の側壁部３６に架け渡されている。詳しくは、取っ手５０は、側壁部３６の第１側壁部３６Ａと第２側壁部３６Ｂとが交差部分の上部と、側壁閉鎖部３６Ｃの上部とに、架け渡されている。
【００４５】
取っ手５０は、把持部５１と把持部５１の両端部から延びる軸部５２ａ、５２ｂとを有している。把持部５１の形状は特に限定されないが、例えば屈曲した板状に形成されている。軸部５２ａ、５２ｂは棒状に形成されている。本実施形態では、把持部５１の一端部に設けられた軸部５２ａは、側壁閉鎖部３６Ｃから流路切替部材３５の外方に向かって突出しており、その突出した部分である突出部５２ｃは、閉鎖部材３７の上方に配置されている。本実施形態では、軸部５２ａの突出部５２ｃは、本発明の「突出部」に対応している。また、把持部５１の他端部に設けられた軸部５２ｂは、側壁部３６の第１側壁部３６Ａと第２側壁部３６Ｂとが交差部分から流路切替部材３５の外方に向かって突出している。本実施形態では、取っ手５０は流路部材３８に対して回動可能に構成されている。ここでは、軸部５２ａ、５２ｂは、流路切替部材３５の連結部４３の貫通孔４５を貫通している。これにより、軸部５２ａ、５２ｂは連結部４３に回動可能に連結されている。
【００４６】
なお、ます本体５、流路切替部材３５（ただし、シール部材４８を除く。）、および、取っ手５０の材料は特に限定されないが、ここでは樹脂材料によって構成されている。
【００４７】
流路切替部材３５は、第１位置Ｐ１（図３参照）と第２位置Ｐ２（図９参照）とに配置可能である。詳しい図示は省略するが、第１位置Ｐ１は、ます本体５の流入口１３と第１流出口１１とを繋ぐ位置である。第２位置Ｐ２は、ます本体５の流入口１３と第２流出口１２とを繋ぐ位置である。図３に示すように、第１位置Ｐ１では、流路切替部材３５の側壁部３６の側壁閉鎖部３６Ｃ、および閉鎖部材３７は、ます本体５の周壁部１５の第２周壁部１５Ｂと対向し、かつ、第２周壁部１５Ｂに形成された第２流出口１２（図２参照）と対向している。第１位置Ｐ１では、流路切替部材３５の第１開口４１はます本体５の流入口１３と重なり、第２開口４２は第１流出口１１と重なり、第２流出口１２は閉鎖部材３７によって塞がれる。その結果、流入口１３と第１流出口１１とが連通し、流入口１３から流入した排水は、第１流出口１１から流出する。排水は、流入管９３から排水ます１を経て第１流出管９１に流れる。
【００４８】
図９に示す第２位置Ｐ２は、図３において流路切替部材３５を反時計回りに１２０度回転させた位置である。図９に示すように、第２位置Ｐ２では、流路切替部材３５の側壁閉鎖部３６Ｃおよび閉鎖部材３７は、ます本体５の第１周壁部１５Ａに対向し、かつ、第１周壁部１５Ａに形成された第１流出口１１（図２参照）と対向している。第２位置Ｐ２では、流路切替部材３５の第１開口４１はます本体５の第２流出口１２と重なり、第２開口４２は流入口１３と重なり、第１流出口１１は閉鎖部材３７によって塞がれる。その結果、流入口１３と第２流出口１２とが連通し、流入口１３から流入した排水は、第２流出口１２から流出する。排水は、流入管９３から排水ます１を経て第２流出管９２に流れる。このように、流路切替部材３５の位置を変更することにより、排水ます１の流路を切り替えることができる。
【００４９】
次に、排水ます１の排水の流路を切り替える手順について説明する。ここでは、流路切替部材３５の位置を第１位置Ｐ１から第２位置Ｐ２に変更する手順について説明する。
【００５０】
上述の通り、図３は流路切替部材３５が第１位置Ｐ１に配置されている状態を示している。流路切替部材３５が第１位置Ｐ１に配置されているとき、取っ手５０の軸部５２ａは、第２周壁部１５Ｂに設けられた第２連結部６２の係合孔３０に係合し、軸部５２ｂは、第１周壁部１５Ａと第３周壁部１５Ｃの交差部分に設けられた第１連結部６１の径合孔３０に係合している。第１位置Ｐ１のとき、閉鎖部材３７は第２周壁部１５Ｂに形成された第２流出口１２（図２参照）に対向しており、第２流出口１２を閉鎖している。本実施形態では、第１位置Ｐ１において、閉鎖部材３７が第２流出口１２に対向するように配置された位置が、本発明の「第１確認位置」に対応している。上述のように、閉鎖部材３７の上面３７ａの色が黄色であるため、作業者は、閉鎖部材３７の上面３７ａを点検口１９（図１参照）から視認することで、閉鎖部材３７が第１流出口１１と第２流出口１２のどちらを閉鎖しているかを容易に確認することができる。
【００５１】
排水の流路を切り替える際には、まず、作業者は蓋１６（図１参照）を取り外し、ます本体５の点検口１９を開放する。次に、点検口１９から腕を挿入し、取っ手５０の把持部５１を掴んで引き上げる。このことで、取っ手５０の軸部５２ａ、５２ｂと第１連結部６１および第２連結部６２の係合孔３０との係合状態が解除され、軸部５２ａ、５２ｂは、係合孔３０から引き抜かれる。
【００５２】
取っ手５０を引き上げると、閉鎖部材３７の係合突起４７がレール３９のスライド溝３９ａの下端に当接するまで（図７参照）、流路部材３８は閉鎖部材３７に対して上方にスライドする（図９参照）。そして、閉鎖部材３７がスライド溝３９ａの下端に当接した後、閉鎖部材３７は流路部材３８と共に上方に移動する。上述のように、流路部材３８の側壁閉鎖部３６Ｃは、鉛直線に対して傾斜している（図４参照）。そのため、流路部材３８が上方にスライドすることによって、閉鎖部材３７をます本体５の第２周壁部１５Ｂに押しつける力が弱められる。その結果、閉鎖部材３７のシール部材４８とます本体５の第２周壁部１５Ｂとの間の密着力が弱められる。本実施形態によれば、閉鎖部材３７が引き上げられる前に密着力が弱められるので、流路切替部材３５を引き上げるときのシール部材４８と第２周壁部１５Ｂとの間の摺動抵抗が小さくなる。したがって、作業者は比較的小さな力で流路切替部材３５を引き上げることができる。
【００５３】
次に、作業者は、流路切替部材３５をます本体５から取り出した後、閉鎖部材３７が第１流出口１１を閉鎖するような位置となるように、流路切替部材３５の位置を変更する。このとき、作業者は、ます本体５の傾斜部１６に付された流出目印１７Ａ（図３参照）を、点検口１９を通じて視認することで、第１流出口１１の位置を把握するとよい。このように第１流出口１１の位置を把握した後、作業者は、取っ手５０の軸部５２ｂ、５２ａが第３連結部６３および第４連結部６４の係合孔３０の真上に位置するよう、流路切替部材３５を水平に１２０度回転させる。そして、流路切替部材３５をます本体５に挿入する。
【００５４】
流路切替部材３５を挿入したとき、閉鎖部材３７のシール部材４８はます本体５の第１周壁部１５Ａと接触する。しかしながら、閉鎖部材３７は流路部材３８の側壁閉鎖部３６Ｃから下方にずれているので、シール部材４８と第１周壁部１５Ａとの間の摺動抵抗は比較的小さい。よって、作業者は比較的小さな力で流路切替部材３５をます本体５に挿入することができる。
【００５５】
作業者が取っ手５０を下方に移動させると、まず、閉鎖部材３７の下端部がます本体５の底壁部１４に当たる。取っ手５０を更に下方に移動させると、流路部材３８は閉鎖部材３７に対して下方にスライドする。流路部材３８の側壁閉鎖部３６Ｃは鉛直線に対して傾斜しているので、流路部材３８を下向きに押す力の一部は、閉鎖部材３７をます本体５の第１周壁部１５Ａに押しつける力となる。よって、作業者は、取っ手５０を下向きに押すだけで、閉鎖部材３７のシール部材４８を第１周壁部１５Ａに押しつけることができ、シール部材４８のシール性を向上させることができる。これにより、排水が第１流出口１１から漏れることをより確実に防止することができる。
【００５６】
このようにして、図９に示すように、流路切替部材３５を第２位置Ｐ２に配置したとき、取っ手５０の軸部５２ａは、第１周壁部１５Ａに設けられた第４連結部６４の係合孔３０に係合し、軸部５２ｂは、第２周壁部１５Ｂと第３周壁部１５Ｃの交差部分に設けられた第３連結部６３の径合孔３０に係合する。第２位置Ｐ２のとき、閉鎖部材３７は第１周壁部１５Ａに形成された第１流出口１１（図２参照）に対向している。本実施形態では、閉鎖部材３７が第１流出口１１に対向するように配置された位置が、本発明の「第２確認位置」に対応している。作業者は、第２位置Ｐ２において、閉鎖部材３７の黄色に付された上面３７ａを点検口１９から視認することで、閉鎖部材３７が第１流出口１１を閉鎖していることを容易に確認することができる。
【００５７】
以上、本実施形態によれば、排水ます１の流路を切り替える際、作業者は、点検口１９を通じて、確認部の一例である閉鎖部材３７の上面３７ａの位置を確認することで、流路を切り替える前の流路切替部材３５の位置を確認することができる。ここでは、閉鎖部材３７の上面３７ａが第２流出口１２と対向する位置（第１確認位置）に配置されているとき、流路切替部材３５が第１位置Ｐ１（図３参照）に配置されていることを確認することができる。よって、作業者は、流路切替部材３５の位置を第１位置Ｐ１から第２位置Ｐ２に変更することを事前に把握することができる。また、ここでは、閉鎖部材３７の上面３７ａが第１流出口１１と対向する位置（第２確認位置）に配置されているとき、流路切替部材３５が第２位置Ｐ２（図９参照）に配置されていることを確認することができる。よって、作業者は、流路切替部材３５の位置を第２位置Ｐ２から第１位置Ｐ１に変更することを事前に把握することができる。このように、切り替え前の流路切替部材３５の位置を確認することで、流路の切り替え先を間違え難くすることができる。
【００５８】
本実施形態では、図３に示すように、閉鎖部材３７の少なくとも上面３７ａには、当該上面３７ａの周囲と異なる色が付されているため、閉鎖部材３７の位置を視認し易い。よって、流路を切り替える前の流路切替部材３５の位置を確認し易い。
【００５９】
本実施形態では、流路切替部材３５の側壁部３６の側壁閉鎖部３６Ｃが第２流出口１２と対向するように流路切替部材３５をます本体５に対して配置することで、流路切替部材３５を第１位置Ｐ１に適切に配置することができる。また、流路切替部材３５の側壁閉鎖部３６Ｃが第１流出口１１と対向するように流路切替部材３５をます本体５に対して配置することで、流路切替部材３５を第２位置Ｐ２に適切に配置することができる。
【００６０】
本実施形態では、図９に示すように、ます本体５の周壁部１５の第１周壁部１５Ａには、流路切替部材３５が第２位置Ｐ２に配置されたときに、取っ手５０の軸部５２ａの突出部５２ｃと係合する係合孔３０が形成された第４連結部６４が設けられている。よって、軸部５２ａの突出部５２ｃと、第１周壁部１５Ａに設けられた係合孔３０とを係合させることで、流路切替部材３５を第２位置Ｐ２に適切に配置することができる。
【００６１】
図３に示すように、第２周壁部１５Ｂには、流路切替部材３５が第１位置Ｐ１に配置されたときに軸部５２ａの突出部５２ｃと係合する係合孔３０が形成された第２連結部６２が設けられている。よって、軸部５２ａの突出部５２ｃと、第２周壁部１５Ｂに設けられた係合孔３０とを係合させることで、流路切替部材３５を第１位置Ｐ１に適切に配置することができる。
【００６２】
なお、周壁部１５の第３周壁部１５Ｃには、軸部５２ａの突出部５２ｃと係合する部分が設けられていない。このことによって、流入口１１が閉鎖される位置に流路切替部材３５を配置することができない。したがって、流入口１１が閉鎖される位置に流路切替部材３５が誤って配置されることを防止することができる。
【００６３】
また、本実施形態では、傾斜部１６の第１傾斜部１６Ａおよび第２傾斜部１６Ｂには、排水がます本体５から流出することを示す流出目印１７Ａ、１７Ｂが付されている。第３傾斜部１６Ｃには、排水がます本体５に流入することを示す流入目印１７Ｃが付されている。このことによって、流出目印１７Ａ、１７Ｂを視認することで、第１流出口１１および第２流出口１２の位置を確認することができ、流入目印１７Ｃを視認することで、流入口１３の位置を確認することができる。このように、流入口１３、第１流出口１１および第２流出口１２の位置を確認することができるため、作業者は、流入口１３を閉鎖するような位置に流路切替部材３５を配置しないようにすることができる。
【００６４】
以上、一実施形態に係る排水ます１について説明した。なお、上記実施形態では、本発明に係る確認部は、閉鎖部材３７の上面３７ａによって構成されていた。しかしながら、確認部は、流路切替部材３５の底壁部４９に形成されたインバート５７の曲部５７ａ（図３参照）によって構成されていてもよい。曲部５７ａは、平面視において閉鎖部材３７側に凹むような形状を有する部位である。そのため、図３に示すように、流路切替部材３５が第１位置Ｐ１に配置されているとき、曲部５７ａは閉鎖部材３７によって閉鎖される第２流出口１２に向かって凹んでいる。また、図９に示すように、流路切替部材３５が第２位置Ｐ２に配置されているとき、曲部５７ａは、閉鎖部材３７によって閉鎖される第１流出口１１に向かって凹んでいる。よって、インバート５７の曲部５７ａの凹んでいる方向を確認することによって、流路を切り替える前の流路切替部材３５の位置を確認することができる。
【００６５】
また、確認部は、取っ手５０の軸部５２ａのうち側壁閉鎖部３６Ｃから流路切替部材３５の外方に向かって突出した突出部５２ｃによって構成されていてもよい。軸部５２ａの突出部５２ｃは、平面視において閉鎖部材３７に向かって突出している。そのため、図３に示すように、流路切替部材３５が第１位置Ｐ１に配置されているとき、突出部５２ｃは閉鎖部材３７によって閉鎖される第２流出口１２（図２参照）の上方に配置される。また、流路切替部材３５が第２位置Ｐ２に配置されているとき、突出部５２ｃは閉鎖部材３７によって閉鎖される第１流出口１１の（図２参照）上方に配置される。よって、突出部５２ｃの位置を確認することによって、流路を切り替える前の流路切替部材３５の位置を確認することができる。
【００６６】
＜他の実施形態＞
上記実施形態では、本発明の突出部は、取っ手５０の一部（ここでは、軸部５２ａの突出部５２ｃ）によって構成されていたが、取っ手５０とは異なる部分によって構成されていてもよい。例えば図１０に示すように、平面視において流路切替部材３５の側壁部３６の側壁閉鎖部３６Ｃには、側壁閉鎖部３６Ｃから流路切替部材３５の外方に向かって突出した板状のフランジ８０が形成されていてもよい。この場合、本発明に係る確認部は、フランジ８０によって構成されている。フランジ８０は、平面視において側壁閉鎖部３６Ｃから閉鎖部材３７に向かって突出している。そのため、流路切替部材３５が第１位置Ｐ１に配置されているとき、フランジ８０は閉鎖部材３７によって閉鎖される第２流出口１２の上方に配置される。また、詳しい図示は省略するが、流路切替部材３５が第２位置Ｐ２に配置されているとき、フランジ８０は閉鎖部材３７によって閉鎖される第１流出口１１の上方に配置される。よって、フランジ８０の位置を確認することによって、流路を切り替える前の流路切替部材３５の位置を確認することができる。
【００６７】
なお、図１０に示すように、フランジ８０の上面には、目印８１が付されていてもよい。ここでは、目印８１として「×」がフランジ８０の上面に付されているが、目印８１の種類は特に限定されない。このように、フランジ８０に目印８１が付されていることで、作業者は点検口１９を通じてフランジ８０の位置を確認し易い。
【００６８】
また、確認部は、図１１に示すような取っ手１５０によって構成されていてもよい。図１１に示す取っ手１５０は、把持部１５１と把持部１５１の両端部から延びる軸部１５２ａ、１５２ｂとを有している。把持部１５１の形状は例えば屈曲した板状の形状である。取っ手１５０は、流路切替部材３５の側壁部３６に架け渡されている。詳しくは、取っ手１５０の軸部１５２ａは側壁部３６の側壁閉鎖部３６Ｃに設けられており、取っ手１５０の軸部１５２ｂは第１側壁部３６Ａと第２側壁部３６Ｂとの交差部分に設けられている。本実施形態では、把持部１５１には、目印１５５が付されている。目印１５５は、流路切替部材３５の側壁部３６の側壁閉鎖部３６Ｃの位置、換言すると、閉鎖部材３７の位置を示す目印である。なお、目印１５５の種類は特に限定されない。例えば、把持部１５１には、目印１５５として「閉鎖側→」の文字が付されている。この「→」は、側壁閉鎖部３６Ｃを指し示す矢印である。このことによって、作業者は、取っ手１５０の把持部１５１に付された目印１５５を視認することで、側壁閉鎖部３６Ｃの位置を確認することができる。よって、点検口１９を通じて目印１５５を視認することで、流路を切り替える前の流路切替部材３５の位置を事前に確認することができる。なお、目印１５５が付される把持部１５１の位置は特に限定されず、例えば把持部１５１の側面および上面に付されていてもよい。
【００６９】
また、確認部は、図１２に示すような取っ手２５０によって構成されていてもよい。図１２に示す取っ手２５０は、流路切替部材３５の側壁部３６に架け渡されている。取っ手２５０の一端は側壁部３６の側壁閉鎖部３６Ｃに設けられており、取っ手２５０の他端は第１側壁部３６Ａと第２側壁部３６Ｂとの交差部分に設けられている。ここで、取っ手２５０は、取っ手２５０の軸方向Ａ１で取っ手２５０を２分割したときの一端側に配置された第１取っ手部２５１と、上記一端とは反対の他端側に配置された第２取っ手部２５２とを有している。ここで、２分割とは、取っ手２５０の中心を通る分割線であって、軸方向Ａ１と直交する分割線を境にして分割することである。第１取っ手部２５１と第２取っ手部２５２とは非対称の形状を有している。ここで、非対称の形状とは、上記分割線を軸とした線対称において非対称の形状のことをいう。しかしながら、非対称の形状とは、取っ手２５０の中心を対称点とし、その対称点を中心とした点対称において非対称の形状のことをいう。例えば第１取っ手部２５１の形状は、幅（ここでは、軸方向Ａ１と直交する方向の長さ）が第１の幅Ｗ１である矩形状であり、第２取っ手部２５２の形状は、幅が第１の幅Ｗ１よりも短い第２の幅Ｗ２である矩形状である。
【００７０】
このことによって、作業者は取っ手２５０の形状から第１取っ手部２５１の位置を簡単に把握することができる。ここでは、第１取っ手部２５１は、第２取っ手部２５２よりも側壁閉鎖部３６Ｃ側に配置されている。よって、流路切替部材３５が第１位置Ｐ１に配置されているとき、第１取っ手部２５１側に、閉鎖部材３７によって閉鎖される第２流出口１２が配置されている。また、詳しい図示は省略するが、流路切替部材３５が第２位置Ｐ２に配置されているとき、第１取っ手部２５１側に、閉鎖部材３７によって閉鎖される第１流出口１１が配置されている。したがって、作業者は、点検口１９を通じて取っ手２５０を視認することで、第１取っ手部２５１の位置から側壁閉鎖部３６Ｃが配置された位置を確認することができる。よって、作業者が取っ手２５０を視認することで、流路を切り替える前の流路切替部材３５の位置を確認することができる。
【００７１】
上記各実施形態では、取っ手５０、１５０、２５０は、流路部材３８に対して回動可能に設けられていたが、流路部材３８に対して回動しないように固定されていてもよい。
【００７２】
上記各実施形態では、ます本体５の周壁部１５は、第１周壁部１５Ａ、第２周壁部１５Ｂおよび第３周壁部１５Ｃによって平面視において略三角形状に形成され、流路切替部材３５の側壁部３６は、第１側壁部３６Ａ、第２側壁部３６Ｂおよび側壁閉鎖部３６Ｃによって平面視において略三角形状に形成されていた。しかしながら、周壁部１５は、第１周壁部１５Ａ、第２周壁部１５Ｂおよび第３周壁部１５Ｃによって平面視において円形状に形成されていてもよいし、側壁部３６は、第１側壁部３６Ａ、第２側壁部３６Ｂおよび側壁閉鎖部３６Ｃによって平面視において円形状に形成されていた。
【００７３】
上記各実施形態の排水ます１は、本発明に係る配管部材の一例である。しかしながら、点検口を有し、かつ、流路を切り替えることができる配管部材は、排水ます１に限定されない。配管部材は、例えば管継手であってもよい。配管部材は、地中に埋設されるものに限定されず、地上に設置されるものであってもよい。
【００７４】
配管部材の点検口は、必ずしも上方に開口するものに限定されない。配管部材の点検口は、例えば水平方向に開口していてもよい。
【符号の説明】
【００７５】
１  排水ます（配管部材）
５  ます本体（本体）
１１  第１流出口
１２  第２流出口
１３  流入口
１５  周壁部
１９  点検口
２０  点検筒部
３５  流路切替部材
３６  側壁部
３７  閉鎖部材
３７ａ  上面（確認部）
４１  第１開口
４２  第２開口
４９  底壁部
５７  インバート
【図１】
2020007877.tif 000003
【図２】
2020007877.tif 000004
【図３】
2020007877.tif 000005
【図４】
2020007877.tif 000006
【図５】
2020007877.tif 000007
【図６】
2020007877.tif 000008
【図７】
2020007877.tif 000009
【図８】
2020007877.tif 000010
【図９】
2020007877.tif 000011
【図１０】
2020007877.tif 000012
【図１１】
2020007877.tif 000013
【図１２】
2020007877.tif 000014